(57)【要約】【課題】水素の火炎における発色の安定化を図る。【解決手段】実施の形態の火炎発生装置は、筐体、水素燃料、ノズル、流路構成部材、炎色反応物質及び脱離防止機構を備えている。水素燃料は、筐体に内蔵されている。ノズルは、筐体内で水素燃料を上方に向けて噴出させる。流路構成部材は、下端側の流入口の内側に前記ノズルの先端部が挿入されている共に、上端側の流出口が前記筐体の外部に開口した流路を構成している。炎色反応物質は、流路構成部材内の所定の保持部に保持されており、前記ノズルの上方に形成される水素の火炎を炎色反応によって着色する。脱離防止機構は、前記保持部からの前記炎色反応物質の脱離を防止する。【選択図】図２
2020190375.tif 000002
【特許請求の範囲】
【請求項１】
筐体と、
前記筐体に内蔵された水素燃料と、
前記筐体内で前記水素燃料を上方に向けて噴出させるノズルと、
下端側の流入口の内側に前記ノズルの先端部が挿入されていると共に、上端側の流出口が前記筐体の外部に開口した流路を構成する流路構成部材と、
前記流路構成部材内の所定の保持部で保持され、前記ノズルの上方に形成される水素の火炎を炎色反応によって着色する炎色反応物質と、
前記保持部からの前記炎色反応物質の脱離を防止する脱離防止機構と、
を備える火炎発生装置。
【請求項２】
前記脱離防止機構は、谷折り及び山折りの繰り返しによりメッシュ状の基材を蛇腹状に折り曲げて谷部及び山部が構成されていると共に前記流路の長手方向に沿って前記谷部及び前記山部が交互に並ぶように前記流路構成部材の内壁部分に取り付けられた前記保持部を有する保持部材を備え、
前記保持部は、前記谷部を含み、
前記炎色反応物質は、前記谷部に固着されている、
請求項１に記載の火炎発生装置。
【請求項３】
前記流路構成部材内で前記ノズルの外周部分を埋設しつつ前記保持部材の底部に配置された多孔質体で形成されている捕集部材、
をさらに備える請求項２に記載の火炎発生装置。
【請求項４】
前記流路構成部材は、矩形管状に形成されており、
一組の前記保持部材が、前記矩形管状の流路構成部材の対向する一組の内壁部分にそれぞれ取り付けられている、
請求項２又は３に記載の火炎発生装置。
【請求項５】
前記保持部材は、前記流路の長手方向の１ｃｍあたりに並ぶ前記谷部のピッチ数又は前記山部のピッチ数が、１以上３以下である、
請求項２から４までのいずれか１項に記載の火炎発生装置。
【請求項６】
前記流路構成部材は、メッシュ状の基材を用いて形成されており、
前記脱離防止機構は、前記炎色反応物質として適用される酸化アルミニウム、酸化マグネシウム及び二酸化ケイ素のうちの少なくとも１つを含む物質を、メッシュ状の前記流路構成部材の内壁部分で形成された前記保持部に固着させることによって構成されている、
請求項１に記載の火炎発生装置。
【発明の詳細な説明】
【技術分野】
【０００１】
本発明の実施形態は、火炎発生装置に関する。
【背景技術】
【０００２】
従来、トーチなどの火炎発生装置は、炭化水素系の液体燃料を一般に使用しているため、燃焼の際に二酸化炭素や煤などの微粒子を発生させる。したがって、この種の火炎発生装置は、環境負荷が高いことや使用者に及ぼされる人的影響などが懸念される。
【０００３】
そこで、燃焼時に二酸化炭素や煤などの微粒子を放出しない水素燃料の適用が要望されている。しかしながら、水素の火炎は、無色透明であるため、視認できない課題がある。このため、炎色反応物質を用いて水素の火炎を着色する方法が提案されている。
【０００４】
この具体例としては、炎色反応物質を含む溶液を水素の火炎中に噴霧する方法や、メッシュ状の担持体に担持された炎色反応物質を水素の火炎と接触させる方法などが例示されている。
【先行技術文献】
【特許文献】
【０００５】
【特許文献１】特許第６１０５１３１号公報
【特許文献２】特許第４１７７９２５号公報
【発明の概要】
【発明が解決しようとする課題】
【０００６】
しかしながら、炎色反応物質を含む溶液を水素の火炎中に噴霧する方法は、その構成上、発色に必要となる炎色反応物質の濃度を安定化させることが難しく、火炎の発色が不足する場合がある。一方、担持体に担持させた炎色反応物質を水素の火炎と接触させる方法は、水素の火炎との接触で炎色反応物質が液化したり、長時間の燃焼や振動による影響で担持体から炎色反応物質が剥離したりする場合がある。この際、例えば剥離した炎色反応物質が、火炎発生装置における水素の吹出口を閉塞して水素の供給を妨げることもあり、結果的に水素の火炎の発色も阻害されることになる。
【０００７】
本発明が解決しようとする課題は、水素の火炎における発色の安定化を図れる火炎発生装置を提供することである。
【課題を解決するための手段】
【０００８】
実施の形態の火炎発生装置は、筐体、水素燃料、ノズル、流路構成部材、炎色反応物質及び脱離防止機構を備えている。水素燃料は、筐体に内蔵されている。ノズルは、筐体内で水素燃料を上方に向けて噴出させる。流路構成部材は、下端側の流入口の内側に前記ノズルの先端部が挿入されていると共に、上端側の流出口が前記筐体の外部に開口した流路を構成している。炎色反応物質は、流路構成部材内の所定の保持部に保持されており、前記ノズルの上方に形成される水素の火炎を炎色反応によって着色する。脱離防止機構は、前記保持部からの前記炎色反応物質の脱離を防止する。
【発明の効果】
【０００９】
本発明によれば、水素の火炎における発色の安定化を図れる火炎発生装置を提供することが可能である。
【図面の簡単な説明】
【００１０】
【図１】第１の実施形態に係る火炎発生装置の構成を示す透視図。
【図２】図１の火炎発生装置が備えた流路構成部材の内部の構成を示す透視図。
【図３】図１の火炎発生装置が備えた脱離防止機構の保持部材を部分的に拡大して示す断面図。
【図４】第２の実施形態に係る火炎発生装置が備えた流路構成部材の内部の構成を示す透視図。
【発明を実施するための形態】
【００１１】
以下、実施の形態を図面に基づき説明する。
＜第１の実施の形態＞
図１に示すように、本実施形態に係る火炎発生装置１０は、オリンピックの聖火リレーや国体の炬火リレーなどで用いられる例えばトーチである。この火炎発生装置１０は、図１、図２に示すように、有底筒状の筐体２、水素タンク３、ボールバルブ５、オリフィス部材６、レギュレータ７、パイプ状のノズル８、ガス配管９、固定台座１２、熱伝導体１４、流路構成部材１５、炎色反応物質１６、脱離防止機構１７、捕集部材１８を備えている。
【００１２】
水素タンク３は、火炎発生装置１０の燃料となる水素燃料を収容している。水素タンク３は、この水素燃料として、気体状態の水素（水素ガス）を吸蔵した水素吸蔵合金を収容している。水素タンク３は、水素の火炎を発生させる側と逆向きに水素の放出穴を有する。水素吸蔵合金として、マグネシウム合金などを選択することも可能である。なお、水素タンク３は、液体の水素や気体状態の水素を収容する高圧タンクや低圧タンクなどで構成されていてもよい。
【００１３】
筐体２は、ケーシング本体２ａ及び上蓋２ｂを有する。筐体２は、上記した水素タンク３、ボールバルブ５、オリフィス部材６、レギュレータ７、ノズル８、ガス配管９などの内部部品を収容（内蔵）している。
【００１４】
固定台座１２は、ノズル８を筐体２内の所定位置に固定するための台座である。ノズル８は、例えば３ｍｍ程度の口径を有し、筐体２内で水素燃料を上方に向けて噴出させる。ノズル８の先端部８ａにおける開口は、水素燃料の噴出口となる。なお、ノズル８の先端部８ａは、２重管などによって構成されていてもよい。
【００１５】
図１に示すように、ガス配管９は、水素タンク３内の水素吸蔵合金から放出された水素（水素燃料）を、レギュレータ７、オリフィス部材６、ボールバルブ５を経由しつつノズル８へと移送する。つまり、ガス配管９の上流側の端部は、水素タンク３に接続され、一方、ガス配管９の下流側の端部は、ノズル８に接続されている。
【００１６】
ボールバルブ５は、ガス配管９内を通る水素の流れをオン（開放）、オフ（遮断）することによって、着火のタイミングを制御する。オリフィス部材６は、ガス配管９の長手方向においてレギュレータ７とボールバルブ５との間に介在されており、ガス配管９の口径をオリフィス（穴）によって絞り、ボールバルブ５の開放時における急激な水素の吐出を抑える。レギュレータ７は、ガス配管９の長手方向において水素タンク３とオリフィス部材６との間に介在されており、ガス配管９内の圧力（高圧）を一定に保つための圧力レギュレータである。
【００１７】
熱伝導体１４は、流路構成部材１５及び水素タンク３とそれぞれ接触しており、筐体２の上部に形成される水素の火炎の熱を授受し、授受した熱を水素タンク３内の水素吸蔵合金に伝熱してこれを加熱するための伝熱部材である。ここで、水素タンク３内の水素吸蔵合金は、温度に対する依存性が高く、例えば温度が大きく低下した際には水素の吸蔵作用などが生じる可能性があるものの、上述したように、熱伝導体１４は、水素の火炎の熱を効率良く水素タンク３側へ伝達できるので、水素吸蔵合金の温度の低下を抑制することができる。
【００１８】
図１、図２に示すように、流路構成部材１５は、例えばステンレス製のメッシュ状の基材を用いて形成された有底矩形管状の容器である。流路構成部材１５は、下端側の流入口１９ａの内側にノズル８の先端部８ａが挿入されている共に、上端側の流出口１９ｂが筐体２の外部に開口した流路１９を構成する。流路１９は、ノズル８の先端部８ａから噴出された水素燃料（水素ガス）及びその燃焼ガスのガス流通路となる。
【００１９】
詳述すると、図２に示すように、流路構成部材１５の底部（下端部）の中央部分には、ノズル８の外径と嵌合する嵌合穴が上記した流入口１９ａとして設けられている。さらに、図１に示すように、流路１９の流出口１９ｂは、筐体２の上端（上蓋２ｂの上端）２ｃから突出する位置に設けられている。一方、前述した熱伝導体１４は、流路構成部材１５の外形と接触するように構成されており、これによって、流路構成部材１５は、安定した状態で保持される。
【００２０】
図２に示すように、炎色反応物質１６は、ノズル８（先端部８ａ）の上方に形成される水素の火炎（流路１９内で水素が燃焼することで生じる火炎）を炎色反応によって着色する炎色反応試薬である。炎色反応物質１６は、流路構成部材１５内の所定の保持部１７ｇで保持されている。
【００２１】
なお、以下の説明において「〜」及びその前後の下限値及び上限値で表した数値範囲は、下限値以上かつ上限値以下の数値範囲（「〜」の前後の数値自体を含めた数値範囲）を特定するものである。
【００２２】
図２に示すように、脱離防止機構１７は、流路構成部材１５内の保持部１７ｇからの炎色反応物質１６の脱離を防止する機構（炎色反応試薬の固定機構）である。この脱離防止機構１７は、メッシュ状の基材を材料とした一組（二つ）の保持部材１７ａを備えている。また、この保持部材１７ａは、炎色反応物質１６を保持する上記した保持部１７ｇを有している。各保持部材１７ａは、谷折り及び山折りの繰り返しにより、前記したメッシュ状の基材を、蛇腹状に折り曲げて谷部１７ｂ及び山部１７ｃが構成されている。
【００２３】
また、保持部材１７ａは、流路１９の長手方向に沿って谷部１７ｂ及び山部１７ｃが交互に並ぶように流路構成部材１５の内壁部分１５ａに取り付けられている。谷部１７ｂは、流路構成部材１５の軸心側からみて凹部となり、山部１７ｃは、流路構成部材１５の軸心側からみて凸部となる。炎色反応物質１６は、保持部材１７ａの個々の谷部１７ｂに固着されている。図２、図３に示すように、保持部材１７ａ本体における、谷部１７ｂ及び山部１７ｃを含む内側面１７ｅ、気孔１７ｄ内、外側面１７ｆは、上記した保持部１７ｇとなる。脱離防止機構１７は、保持部材１７ａ本体におけるこのような保持部１７ｇから、燃焼時に融解し得る炎色反応物質１６が、脱離してしまうことを防止する機能を有する。
【００２４】
より具体的には、図２に示すように、一組の保持部材１７ａは、有底矩形管状の流路構成部材１５の４つの内壁部分（内壁面）のうち、互いに対向する一方の組の内壁部分（一対の内壁面）１５ａにそれぞれ取り付けられている。保持部材１７ａによる炎色反応物質１６の保持力を高めるために、個々の保持部材１７ａは、流路１９の長手方向の１ｃｍあたりに並ぶ谷部１７ｂのピッチ数又は山部１７ｃのピッチ数が、１以上３以下であることが望ましい。換言すると、２つの谷部の形成（２箇所の谷折り）又は２つの山部の形成（２箇所の山折り）を１回と数える蛇腹状の折り目数は、流路１９の長手方向の１ｃｍあたり１回〜３回の範囲であることが望ましい。流路構成部材１５は、その長さが６ｃｍ〜８ｃｍ程度で構成される場合があり、この際、折り目数としては例えば１８回などが選択される。ここで、例えば上記した谷部１７ｂ又は山部１７ｃのピッチ数が、１ｃｍあたり１未満になると、谷部１７ｂ及び山部１７ｃの傾斜面が、より起立した面になり、この場合、保持部材１７ａによる炎色反応物質１６の保持力が低下することが懸念される。
【００２５】
また、上記したような保持部材１７ａの谷部１７ｂへ炎色反応物質１６を固着させる方法については、図３に示すように、炎色反応物質１６をバーナーなどにより熱して保持部材１７ａの谷部１７ｂに溶着させるか、若しくは、炎色反応物質１６を純水などと混練してペーストを作り、このペーストを保持部材１７ａの谷部１７ｂに塗付した後、焼結させることなどを例示することができる。
【００２６】
一方、有底矩形管状の流路構成部材１５の４つの内壁部分（内壁面）のうち、互いに対向する他方の組の内壁部分（保持部材１７ａが取り付けられていない一対の内壁面）１５ｂは、流路構成部材１５の短手方向から（流路構成部材１５の外側から）、空気を積極的に導入するための一組の通気口となる。これらの通気口は、流路構成部材１５の基材におけるメッシュ（気孔）で実質的に構成されている。なお、流路構成部材１５の内壁部分１５ａには、保持部材１７ａが取り付けられているものの、保持部材１７ａ及び内壁部分１５ａがメッシュ状の基材で構成されていることから、実質的には、これらの部位からも、流路構成部材１５内へ空気が導入される。
【００２７】
図１、図２に示すように、捕集部材１８は、多孔質体で形成されている。捕集部材１８は、流路構成部材１５内において、ノズル８の先端部８ａにおける上端面（ノズルの開口面）を除き当該ノズル８の外周部分を埋設しつつ保持部材１７ａの底部に配置されている。この捕集部材１８は、水素の燃焼により溶出した炎色反応物質１６が、振動などの影響で想定を超えて、脱離防止機構１７の保持部材１７ａから、脱離してしまった際の予備的な受け皿である。このような場合の炎色反応物質１６は、捕集部材１８の微細な孔に入り吸収される。
【００２８】
さらに詳述すると、捕集部材１８は、ノズル８を貫通させる部位に開口を有する。図２に示すように、捕集部材１８の上端面１８ａは、ノズル８の先端部８ａにおける上端面（ノズルの開口面）よりも、上部側に配置されており、これにより、溶出した炎色反応物質１６がノズル８内へ混入してしまうことの防止効果を高めている。捕集部材１８の材料としては、例えば耐火煉瓦などの多孔質体やセラミックス製の多孔質体を選択することが望ましい。
【００２９】
流路構成部材１５及び保持部材１７ａの基材としては、例えば１インチあたりのメッシュ数（気孔数）が、１０〜１００の金網などを例示することができる。また、流路構成部材１５や保持部材１７ａの基材には、いわゆるパンチングメタルのような材料を選択することも可能である。なお、保持部材１７ａの材料としては、捕集部材１８と同様に、例えばセラミックス製の多孔質体などを選択することも可能である。この場合、保持部材を構成している多孔質体の表面に炎色反応物質１６を固着させるようにしてもよい。
【００３０】
ここで、炎色反応は、炎色反応物質として例えば塩化ナトリウムなどを適用した場合を例にすると、次の式１を用いて説明することが可能である。
【００３１】
ＮａＣｌ＋Ｑ  →  ＮａＣｌ*  →  ＮａＣｌ＋ｈν  …  式１
【００３２】
この式１において、Ｑは熱エネルギ、ＮａＣｌ*は塩化ナトリウムの励起状態、ｈνは光エネルギを表している。
【００３３】
上記の例では、水素の燃焼によって生じる熱エネルギＱによって、塩化ナトリウムが励起状態となった後、塩化ナトリウムは、励起状態から基底状態のエネルギ差に相当する光エネルギを放出しながら、基底状態に戻る。塩化ナトリウムの場合、この光エネルギが橙色の波長に相当するために橙色の火炎となる。
【００３４】
本実施形態の火炎発生装置１０では、流路構成部材１５内のノズル８より吹き出した水素と、流路構成部材１５の内壁部分１５ｂ（通気口）より流入する空気と、が燃焼反応を起すことで、流路構成部材１５内で火炎が生じる。火炎は、流路構成部材１５内にとどまらず、流路構成部材１５上端の流出口１９ｂから上方に延びるように形成される。この場合において、火炎と接触した炎色反応物質１６は、熱エネルギを授受して炎色反応を生じさせ、これにより、火炎は、炎色反応物質１６の成分に応じた色に発色する。
【００３５】
ところで、本実施形態の脱離防止機構１７に対して好適な炎色反応物質１６は、以下に示す化合物群のうち、少なくとも１つ以上を含むものである。例えば、アルカリ金属の塩化物（ＬｉＸ，ＮａＸ，ＫＸ，ＲｂＸ，ＣｓＸ，Ｘ＝Ｃｌ，Ｂｒ，Ｉ）、アルカリ土類金属の塩化物（ＣａＸ2，ＳｒＸ2，ＢａＸ2，Ｘ＝Ｃｌ，Ｂｒ，Ｉ）、ホウ酸（Ｈ3ＢＯ3）、塩化銅（ＣｕＣｌ2）、炭酸ストロンチウム（ＳｒＣＯ3）、炭酸ナトリウム（Ｎａ2ＣＯ3）、インジウム（Ｉｎ）、酸化リチウム（Ｌｉ2Ｏ）、酸化銅（ＣｕＯ）、酸化コバルト（Ｃｏ3Ｏ4）、酸化鉄（Ｆｅ2Ｏ3）などを挙げることができる。
【００３６】
上述したような材料を適用することで、比較的融点の低い（融点が１０００℃程度の）炎色反応物質１６が構成される。また、この炎色反応物質１６は、炎色反応により例えば紫色や赤色に水素を発色させる。
【００３７】
ここで、本実施形態の脱離防止機構１７の作用について説明する。水素の燃焼が継続されると、上記したように比較的融点の低い炎色反応物質１６は、融解して流動性が生じる場合がある。この際、炎色反応物質１６は、鉛直方向に生じる自重によって、図３に示すように、固着されていた保持部材１７ａの谷部１７ｂから、保持部材１７ａの内側面１７ｅに沿って下向きに移動することがある。炎色反応物質１６の流動性が高い場合、この炎色反応物質１６は、保持部材１７ａの気孔１７ｄ内を通過し、保持部材１７ａの外側面１７ｆにおける山部１７ｃの裏側の凹部で固化状態となり、図３に示すように、炎色反応物質１６ａとして固着されることもある。また、炎色反応物質１６は、保持部材１７ａの内側面１７ｅを移動する過程で、所定の気孔１７ｄの内部で流動性を失って固化する場合もある。
【００３８】
脱離防止機構１７の保持部材１７ａにおけるこのような作用により、流路構成部材１５内に設けられた保持部材１７ａ自体（保持部１７ｇ）からの炎色反応物質１６の脱離が防止される。また、例えば火炎発生装置１０に加わる振動の影響などが相まって、仮に、炎色反応物質１６が保持部材１７ａ自体から脱離してしまった場合でも、この際の受け皿となる捕集部材１８（多孔質体）の内部に、炎色反応物質１６が吸収され、これにより、例えばノズル８の先端部８ａが炎色反応物質１６で閉塞されることなどが回避される。
【００３９】
既述したように、本実施形態の火炎発生装置１０によれば、流路構成部材１５の内壁部分１５ａからの炎色反応物質１６の脱離やノズル８の閉塞などが防止されることで、結果的に、水素の火炎における発色の安定化を図ることができる。
【００４０】
＜第２の実施の形態＞
次に、第２の実施の形態を図４に基づき説明する。なお、図４において、図２に示した第１の実施形態中の構成要素と同一の構成要素については、同一の符号を付与し、重複する説明を省略する。本実施形態の火炎発生装置は、第１の実施形態の火炎発生装置１０が備えていた流路構成部材１５に代えて、図４に示すように、流路構成部材２５を備えている。
【００４１】
流路構成部材２５には、第１の実施形態の脱離防止機構１７に代えて、脱離防止機構２７が設けられている。この脱離防止機構２７は、第１の実施形態の炎色反応物質１６に代わる炎色反応物質２６を、メッシュ状の流路構成部材２５の内壁部分２５ａで形成された保持部２７ａに固着させることによって構成されている。より具体的には、図４に示すように、炎色反応物質２６は、有底矩形管状の流路構成部材２５の４つの内壁部分（内壁面）のうち、互いに対向する一方の組の内壁部分（一対の内壁面）２５ａで形成された保持部２７ａにそれぞれ固着されている。
【００４２】
ここで、本実施形態の脱離防止機構２７に対して好適な炎色反応物質２６は、酸化アルミニウム（Ａｌ2Ｏ3）、酸化マグネシウム（ＭｇＯ）及び二酸化ケイ素（ＳｉＯ2）のうちの少なくとも１つを含む物質である。このような材料を適用した炎色反応物質２６は、比較的融点の高い（融点が１８００℃〜２０００℃程度の）ものが構成される。また、この炎色反応物質２６は、炎色反応により例えば橙色（オレンジ色）に水素を発色させる。
【００４３】
図４に示すように、このような炎色反応物質２６を流路構成部材２５の内壁部分２５ａ（保持部２７ａ）に固着させる方法としては、上記した酸化アルミニウム、酸化マグネシウム及び二酸化ケイ素のうちの少なくとも１つを含む粉末などに純水を添加してペースト状にしたセラミックスペーストを用意する。次に、流路構成部材２５の内壁部分２５ａの総面積に対し、例えば５０％〜８０％の範囲にわたって、用意したセラミックスペーストを塗布した後、２００℃〜５００℃の温度環境で１時間以上焼結処理を行うことで、流路構成部材２５の内壁部分２５ａに炎色反応物質２６を固着させる。
【００４４】
本実施形態の脱離防止機構２７を有する火炎発生装置では、流路構成部材２５におけるメッシュ状の内壁部分２５ａ（保持部２７ａ）に、比較的融点の高い炎色反応物質２６を固着させていることで、炎色反応物質２６の流動自体が生じ難く、結果的に、内壁部分２５ａ（保持部２７ａ）からの炎色反応物質２６の脱離を防止する効果を得ることができる。したがって、本実施形態の火炎発生装置においても、水素の火炎における発色を安定的に維持することが可能となる。なお、流路構成部材２５の内壁部分２５ａに固着する炎色反応物質２６の高さ方向の固着位置などを適宜変更し、第１の実施形態の捕集部材１８と同様の機能を有する捕集部材を、流路構成部材２５内に設けるようにしてもよい。
【００４５】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【符号の説明】
【００４６】
２…筐体、３…水素タンク、８…ノズル、８ａ…ノズルの先端部、１０…火炎発生装置、１５，２５…流路構成部材、１５ａ，２５ａ…流路構成部材の内壁部分、１６，１６ａ，２６…炎色反応物質、１７，２７…脱離防止機構、１７ａ…保持部材、１７ｂ…保持部材の谷部、１７ｃ…保持部材の山部、１７ｄ…保持部材の気孔、１７ｅ…保持部材の内側面、１７ｆ…保持部材の外側面、１７ｇ，２７ａ…保持部、１８…捕集部材、１８ａ…捕集部材の上端面、１９…流路、１９ａ…流入口、１９ｂ…流出口。
【図１】
2020190375.tif 000003
【図２】
2020190375.tif 000004
【図３】
2020190375.tif 000005
【図４】
2020190375.tif 000006